(57)【要約】【課題】ＡＶ出力機器の天吊りロッドが、天井に取り付けられる固定軸と、前記ＡＶ出力機器が取り付けられ前記固定軸に対して上下方向にスライドされる調整軸とからなり、前記固定軸と前記調整軸のうち、いずれか一方を外筒体とし、他方を前記外筒体に挿入される内通体とし、前記固定軸と前記調整軸のそれぞれに前記調整軸のスライドにより連通される孔部を形成し、この連通された両孔部と上下方向に係合する差込部材により前記調整軸の上下方向へのスライドを規制するようにしたＡＶ出力機器吊下げ具において、天吊りロッドとは別に上下方向の軸周りの回転軸部を設けることなく、ＡＶ出力機器を天吊りロッド周りに回転可能とする。【解決手段】前記調整軸１２を、前記固定軸１１に対して上下方向の軸周りに回転可能とし、前記固定軸１１と前記調整軸１２の孔部４１、４２ａ、４２ｂ、４２ｃのうち、４２ａ、４２ｂ、４２ｃを周方向に長さもった長孔とした。【選択図】図１
2006333333.tif 000002
【特許請求の範囲】
【請求項１】
ＡＶ出力機器の天吊りロッドが、天井に取り付けられる固定軸と、前記ＡＶ出力機器が取り付けられ前記固定軸に対して上下方向にスライドされる調整軸とからなり、前記固定軸と前記調整軸のうち、いずれか一方を外筒体とし、他方を前記外筒体に挿入される内通体とし、前記固定軸と前記調整軸のそれぞれに前記調整軸のスライドにより連通される孔部を形成し、この連通された両孔部と上下方向に係合する差込部材により前記調整軸の上下方向へのスライドを規制するようにしたＡＶ出力機器吊下げ具において、
前記調整軸を、前記固定軸に対して上下方向の軸周りに回転可能とし、前記固定軸と前記調整軸の孔部のうち、少なくともいずれか一方を、周方向に長さもった長孔としたことを特徴とするＡＶ出力機器吊下げ具。
【請求項２】
前記調整軸と前記固定軸のそれぞれに、前記調整軸がスライドおよび回転される状態で上下に向かい合う突出部を設けた請求項１に記載のＡＶ出力機器吊下げ具。
【請求項３】
前記調整軸がスライドおよび回転される状態で、前記固定軸側の突出部が前記調整軸を上下方向と直交する方向に規制し、前記調整軸側の突出部が前記固定軸を上下方向と直交する方向に規制するようにした請求項２に記載のＡＶ出力機器吊下げ具。
【請求項４】
前記調整軸と前記固定軸のそれぞれが円筒状の金属パイプからなり、前記固定軸側の突出部と前記調整軸側の突出部のうち、いずれか一方がパイプ端に形成された拡径部からなり、他方がパイプ端に形成された縮径部からなる請求項２または３に記載のＡＶ出力機器吊下げ具。
【請求項５】
前記天井に固定されるフレームを備え、このフレームに結合されるベース部を前記固定軸に設け、前記ベース部が前記固定軸を挟んで平行する外壁面を有し、前記フレームが前記外壁面を平行方向に案内する嵌合溝を有する請求項１から４のいずれかに記載のＡＶ出力機器吊下げ具。
【発明の詳細な説明】
【技術分野】
【０００１】
この発明は、スピーカー、テレビ、モニタなどといった音響または映像（ＡＶ）を出力するＡＶ出力機器を天井に吊下げるのに利用されるＡＶ出力機器吊下げ具に関する。
【背景技術】
【０００２】
液晶テレビのように視野角が限定される映像出力機器を吊下げたり、音響設計に沿ってＡＶ出力機器を吊下げたりする場合には、吊下げ後に設置方向の調整作業が行われる。このような作業を容易にするため、ＡＶ出力機器を吊るす天吊りロッドに伸縮機構を備えたＡＶ出力機器吊下げ具が利用されている。
【０００３】
例えば、天吊りロッドが、天井に取り付けられる固定軸と、前記ＡＶ出力機器が取り付けられ前記固定軸に対して上下方向にスライドされる調整軸とからなり、前記固定軸と前記調整軸のうち、いずれか一方を外筒体とし、他方を前記外筒体に挿入される内通体とし、前記固定軸と前記調整軸のそれぞれに前記調整軸のスライドにより連通される孔部を形成し、この連通された両孔部と上下方向に係合する差込部材により前記調整軸の上下方向へのスライドを規制するようにしたものがある（特許文献１）。
【０００４】
【特許文献１】特開平９−２８９６１７号公報（段落番号［０００５］〜［００１０］、図１参照）
【発明の開示】
【発明が解決しようとする課題】
【０００５】
しかしながら、特許文献１のＡＶ出力機器吊下げ具は、天吊りロッドによりＡＶ出力機器の吊下げ高さを調整することはできるが、ＡＶ出力機器を上下方向の軸周りに回転させる向き調整が全くできないものであり、天吊りロッドとＡＶ出力機器の取付金具等との間に、別途、上下方向の軸周りの回転軸部を設ける必要があった。
【０００６】
そこで、この発明の課題は、ＡＶ出力機器の天吊りロッドが、天井に取り付けられる固定軸と、前記ＡＶ出力機器が取り付けられ前記固定軸に対して上下方向にスライドされる調整軸とからなり、前記固定軸と前記調整軸のうち、いずれか一方を外筒体とし、他方を前記外筒体に挿入される内通体とし、前記固定軸と前記調整軸のそれぞれに前記調整軸のスライドにより連通される孔部を形成し、この連通された両孔部と上下方向に係合する差込部材により前記調整軸の上下方向へのスライドを規制するようにしたＡＶ出力機器吊下げ具において、天吊りロッドとは別に上下方向の軸周りの回転軸部を設けることなく、ＡＶ出力機器を天吊りロッド周りに回転可能とすることである。
【課題を解決するための手段】
【０００７】
上記の課題を解決するため、この発明のＡＶ出力機器吊下げ具では、前記調整軸を、前記固定軸に対して上下方向の軸周りに回転可能とし、前記固定軸と前記調整軸の孔部のうち、少なくともいずれか一方を、周方向に長さもった長孔とした構成を採用する。
【０００８】
上記構成によれば、前記差込部材により前記調整軸の上下方向へのスライドが規制された状態で、前記調整軸は、前記差込部材が前記長孔の長手端縁に当るまで上下方向の軸周りに回転可能となる。これにより、この発明のＡＶ出力機器吊下げ具は、前記天吊りロッドとは別に上下方向の軸周りの回転軸部を設けることなく、ＡＶ出力機器を天吊りロッド周りに回転させることができる。
【０００９】
上記構成において、前記調整軸と前記固定軸のそれぞれに、前記調整軸がスライドおよび回転される状態で上下に向かい合う突出部を設けた構成を採用すれば、前記差込部材が脱落した場合に、両突出部が上下方向に係合する。このため、前記調整軸が前記両突出部により抜け止めされるので、調整作業を安全に行うことができる。
【００１０】
上記構成において、前記調整軸がスライドおよび回転される状態で、前記固定軸側の突出部が前記調整軸を上下方向と直交する方向に規制し、前記調整軸側の突出部が前記固定軸を上下方向と直交する方向に規制するようにした構成を採用すれば、前記調整軸がスライドおよび回転される際に、前記調整軸が両突出部に案内される。この案内により、前記調整軸のがたつきが防止され、前記孔部の位置合せや前記差込部材の前記孔部への差込みが容易になる。
【００１１】
上記構成において、前記調整軸と前記固定軸のそれぞれが円筒状の金属パイプからなり、前記固定軸側の突出部と前記調整軸側の突出部のうち、いずれか一方がパイプ端に形成された拡径部からなり、他方がパイプ端に形成された縮径部からなる構成を採用すれば、両突出部を、スウェージング加工、フランジ加工、カーリング加工などで形成することが可能になる。これにより、前記調整軸と前記固定軸を容易に形成することができる。
【００１２】
上記構成において、前記天井に固定されるフレームを備え、このフレームに結合されるベース部を前記固定軸に設け、前記ベース部が前記固定軸を挟んで平行する外壁面を有し、前記フレームが前記外壁面を平行方向に案内する嵌合溝を有する構成を採用すれば、前記フレームを天井に固定すると共に前記ベース部を前記嵌合溝に嵌めた状態とすることにより、前記固定軸を平行方向に移動させることが可能になる、すなわち、前記天吊りロッドを天井に対してスライドさせることが可能になる。
また、前記固定軸は、前記外壁面と前記嵌合溝が嵌合する状態で前記ベース部が前記フレームに結合されることにより、ＡＶ出力機器の回転慣性力が前記差込部材、前記孔部を介して伝達しても、前記ベース部と前記フレームにより周り止めされる。
【発明の効果】
【００１３】
上述のように、この発明のＡＶ出力機器吊下げ具は、前記調整軸を、前記固定軸に対して上下方向の軸周りに回転可能とし、前記固定軸と前記調整軸の孔部のうち、少なくともいずれか一方を、周方向に長さもった長孔とした構成により、天吊りロッドとは別に上下方向の軸周りの回転軸を設けることなく、ＡＶ出力機器を天吊りロッド周りに回転させることができる。
【発明を実施するための最良の形態】
【００１４】
以下、この発明の最良の実施形態に係るＡＶ出力機器吊下げ具を添付図面に基づいて説明する。図１、図２は、実施形態に係るＡＶ出力機器吊下げ具を天井に取り付けた状態を示す。図３は、実施形態に係るＡＶ出力機器吊下げ具の分解図である。
【００１５】
図１から図３に示すＡＶ出力機器吊下げ具は、薄型テレビからなるＡＶ出力機器Ｍの天吊りロッド１０を備える。この天吊りロッド１０は、伸縮機構を有し、天井に取り付けられる固定軸１１と、固定軸１１に対して上下方向にスライドされる調整軸１２とからなる。調整軸１２には、薄型テレビからなるＡＶ出力機器Ｍの装着部２０が設けられている。固定軸１１には、天井への取付部３０が設けられている。
【００１６】
なお、この実施形態の天井は、天井パネル１を支持する桟２と、上下方向に凹凸をもった構造壁３と、構造壁３に一端を固定された吊りボルト４と、吊ボルト４の他端と桟２を連結する吊り金具５とを備え、吊りボルト４の送り量により天井パネル１が昇降される構造となっている。
【００１７】
上記固定軸１１は、両端開放の円筒状の金属パイプからなる外筒体とされている。一方、上記調整軸１２は、円筒状の金属パイプからなり、固定軸１１に挿入される内通体とされている。なお、調整軸１２を外筒体とすることができるのは勿論である。
【００１８】
具体的には、固定軸１１の内周は、下端のパイプ端を絞った縮径部からなる突出部１１ａが形成されており、突出部１１ａから上端のパイプ端までの間が同一径とされている。一方、調整軸１２の外周は、上端のパイプ端を広げた拡径部からなる突出部１２ａが形成されている。突出部１２ａの外周は、突出部１１ａから上端のパイプ端までの間よりも僅かに小径で、突出部１１ａの内周よりも大径とされている。また、調整軸１２の外周は、突出部１２ａから下端のパイプ端までの間が突出部１１ａの内周よりも小径とされている。
【００１９】
上記構造の固定軸１１および調整軸１２によれば、調整軸１２は、突出部１２ａの反対側から固定軸１１の上端より挿入され、突出部１２ａが突出部１１ａに当たるまで固定軸１１に対して上下方向にスライドされると共に、固定軸１１に対して上下方向の軸周りに回転可能に設けられる。
【００２０】
また、図４（ａ）、（ｂ）に示すように、突出部１１ａは、調整軸１２がスライドおよび回転される状態で調整軸１２の外周を上下方向と直交する方向に規制する。一方、突出部１２ａは、調整軸１２がスライドおよび回転される状態で固定軸１１の内周を上下方向と直交する方向に規制する。このため、調整軸１２は、スライドおよび回転される状態で突出部１１ａ、１２ａによりがたつきが防止される。
【００２１】
前記固定軸１１には、天井パネル１から露出する下端近傍に孔部４１が形成されている。前記調整軸１２には、上下方向に間隔をもって孔部４２ａ、４２ｂ、４２ｃが形成されている。
【００２２】
固定軸１１側の孔部４１は、固定軸１１の外周に固着されたナットと一体に設けられており、ボルトからなる差込部材４０が螺合される。一方、調整軸１２側の孔部４２ａ、４２ｂ、４２ｃは、周方向に長さもった長孔とされている。
【００２３】
具体的には、調整軸１２側の孔部４２ａ、４２ｂ、４２ｃは、調整軸１２の上下方向の軸を中心とする４分の１円の円弧長を有する。これにより、調整軸１２の回転角は、差込部材４０に対して周方向両側に概ね４５°となっている。
【００２４】
上記調整軸１２の回転角は、孔部４２ａ、４２ｂ、４２ｃの周方向長さによって限定される。このような限定的な調整機能でも、前記固定軸１１は、上下方向の軸周りの向きをＡＶ出力機器Ｍの設置方向と概ね一致するようにして天井に取り付けられるので、実用上、十分であり、特に、液晶テレビの画面を視野角に応じて調整する場合には有用である。
【００２５】
図４（ｃ）に示すように、固定軸１１側の孔部４１と、調整軸１２側の孔部４２ａ、４２ｂ、４２ｃには、調整軸１２のスライドにより連通するように位置合わせされた状態で差込部材４０が孔部４１に螺合されながら差し込まれる。これにより、天吊りロッド１０は、３段階Ｈａ、Ｈｂ、Ｈｃで伸縮調整が可能となっている。
【００２６】
固定軸１１側の孔部４１と調整軸１２側の孔部４２ａが連通された状態を例に説明すると、図５（ａ）、（ｂ）に示すように、孔部４１に螺合された差込部材４０の軸端が孔部４２ａに差し込まれる。これにより、差込部材４０が孔部４１、４２ａと上下方向に係合し、調整軸１２の上下方向へのスライドが規制される。また、差込部材４０は、孔部４１のナットとの螺合により、調整軸１２が回転する状態でも孔部４１に保持される。すなわち、この実施形態では、孔部４１が規制維持部として機能する。なお、このような規制維持部は調整軸１２側、固定軸１１と調整軸１２の間に設けることも可能である。
【００２７】
調整軸１２は、ボルト４３を孔部４１の下方に設けられた螺合孔４４に螺合させていき、調整軸１２の外周を内向きに押圧することにより周り止めされる。このように周り止めをする場合、固定軸１１の側周壁が変形し易い部分、つまり、固定軸１１の両端から離れた位置に螺合孔４４を設けると、ボルト４３の効きが甘くなる。このため、この実施形態では、螺合孔４４を固定軸１１の下端近傍に設けている。
【００２８】
また、上記突出部１１ａ、１２ａは、固定軸１１の下端と調整軸１２の上端に位置しているため、調整軸１２側の孔部４２ａ、４２ｂ、４２ｃのいずれが選択されても、上記差込部材４０が孔部４１に保持された状態で上下に向かい合う。したがって、天吊りロッド１０が天井に取り付けられた状態で差込部材４０が脱落したとしても、調整軸１２は、突出部１１ａと突出部１２ａが上下に係合することにより、抜け止めされる。
【００２９】
上記の天吊りロッド１０に備わる装着部２０は、図１、図２、図３、図４（ｃ）に示すように、調整軸１２のうち、天吊りロッド１０が最短長Ｈａとなる状態、つまり、孔部４１と孔部４２ａに差込部材４０が係合する状態で、固定軸１１から露出するように設けられる。装着部２０は、チルト機構となっており、チルト軸部が、ＡＶ出力機器Ｍがねじ止めされる一対のブラケット２１と、調整軸１２に形成された通し孔２２、２３と、両孔に挿通されるボルト２４とからなる。
【００３０】
チルト角の調整部は、一対のブラケット２１に形成された角度調整孔２５、調整軸１２に形成された合わせ孔２６と、両孔２５、２６に挿通されるボルト２７とからなる。
【００３１】
なお、前記調整軸１２へのＡＶ出力機器Ｍの取付構造は特に限定されない。例えば、装着部２０は、孔、凹凸部、ブラケット、溶接部等で構成することができる。また、ＡＶ出力機器Ｍは、通し孔２３に直付けしてもよい。
【００３２】
上記固定軸１１に設けられた上記取付部３０は、桟２間に架け渡される一対のフレーム３１と、フレーム３１を桟２に固定するための固定金具３２と、フレーム３１に結合されるベース部３３とを備える。
【００３３】
固定金具３２は、フレーム３１を上から跨がせた状態で桟２の溝壁上端縁に顎首係合される。これにより、各フレーム３１は天井に対して固定される。
【００３４】
ベース部３３は、固定軸１１の外周を囲む枠状とされており、固定軸１１の外周のうち、孔部４１よりも上方に位置する部分に設けられている。
【００３５】
ベース部３３は、固定軸１１を挟んで平行する外壁面３３ａを有する。一方、フレーム３１は、外壁面３３ａを平行方向に案内する嵌合溝３１ａを有する。
【００３６】
一対のフレーム３１は、両嵌合溝３１ａでベース部３３の両外壁面３３ａを挟んだ状態で固定金具３２により桟２に固定される。この状態で、ベース部３３は、嵌合溝３１ａと外壁面３３ａとにより案内されようになり、平行方向に移動させることが可能になる。
【００３７】
なお、この実施形態では、嵌合溝３１ａがフレーム３１の全長に亘って設けられている。このため、一対のフレーム３１は、互いの嵌合溝３１ａがベース部３３の外壁面３３ａの平行間隔に一致する間隙をもって平行するように配置され、固定金具３２により天井の桟２に対し固定された後、ベース部３３がフレーム３１の端から嵌合溝３１ａにスライド嵌合されるように取り付けることもできる。
【００３８】
ベース部３３は、回しねじ３４によりフレーム３１に結合される。具体的には、嵌合溝３１ａの縦壁に平行方向のスリット３５が形成されている。一方、ベース部３３には、外壁面３３ａにタップ部３６が形成されている。スリット３５は、タップ部３６が露出するように形成されている。回しねじ３４をタップ部３６に螺合することにより、ベース部３３とフレーム３１が締結される。これにより、固定軸１１が天井に対して位置決めされる。
【００３９】
なお、固定軸１１の位置決め後、固定軸１１の外周に一致する切欠きを設けた天井パネル１が桟２と固定軸１１側の孔部４１との間に設置される。
【００４０】
上記の取付部３０によれば、天吊りロッド１０をフレーム３１を介して天井パネル１裏側の桟２にもたせるため、複数の天吊りロッド１０を設置する場合でも、全ての天吊りロッド１０の天井パネル１に対する上下方向の関係が一定に揃う利点がある。このため、天吊りロッド１０の伸縮により装着部２０に取り付けられたＡＶ出力機器Ｍの吊下げ高さを揃えることも容易になる。なお、固定軸１１を構造壁３に直付けすることもできる。
【００４１】
この発明は上記実施形態に限定されず、例えば、孔部４１を長孔とし、孔部４２ａ、４２ｂ、４２ｃを孔部４１のような構造とすることも可能である。また、全ての孔部４１、４２ａ、４２ｂ、４２ｃを長孔とし、別途、差込部材４０を保持する規制維持部を設けた構成を採用することもできる。
【図面の簡単な説明】
【００４２】
【図１】実施形態に係るＡＶ出力機器吊下げ具の正面図
【図２】図１のＡＶ出力機器吊下げ具の使用状態図
【図３】図１のＡＶ出力機器吊下げ具の分解斜視図
【図４】（ａ）図１の調整軸側の突出部を示す部分拡大縦断面図、（ｂ）図１の固定軸側の突出部を示す部分拡大縦断面図、（ｃ）図１の天吊りロッドの伸縮状態を側面から示す作用図
【図５】（ａ）図１の差込部材と孔部を示す一部切欠き拡大図、（ｂ）図４（ａ）の差込部材と孔部の横断面図
【符号の説明】
【００４３】
１０  天吊りロッド
１１  固定軸
１１ａ、１２ａ  突出部
１２  調整軸
２０  装着部
３０  取付部
３１  フレーム
３１ａ  嵌合溝
３３  ベース部
３３ａ  外壁面
４０  差込部材
４１、４２ａ、４２ｂ、４２ｃ  孔部
【図１】
2006333333.tif 000003
【図２】
2006333333.tif 000004
【図３】
2006333333.tif 000005
【図４】
2006333333.tif 000006
【図５】
2006333333.tif 000007